(57)【要約】【課題】光軸方向のスペースをとらずに保持筒内にレンズを保持する。【解決手段】レンズ鏡筒であって、内周にねじ溝が設けられた中空の筒本体と、筒本体に収容され、光学部材を保持する保持枠と、筒本体のねじ溝と噛合い、少なくとも光学部材の光軸に平行な方向について保持枠を筒本体との間で挟んで保持する環状の押さえ環とを備える。上記レンズ鏡筒において、筒本体および保持枠は、相互に嵌合して光軸方向に係止されてもよい。また、上記レンズ鏡筒において、筒本体は、光軸方向に相互に当接する突起部および当接面の一方を有し、保持枠は、突起部および当接面の他方を有してもよい。【選択図】図１２
2013152276.tif 000002
【特許請求の範囲】
【請求項１】
内周にねじ溝が設けられた中空の筒本体と、
前記筒本体に収容され、光学部材を保持する保持枠と、
前記筒本体のねじ溝と噛合い、少なくとも前記光学部材の光軸に平行な方向について前記保持枠を前記筒本体との間で挟んで保持する環状の押さえ環と
を備えるレンズ鏡筒。
【請求項２】
前記筒本体および前記保持枠は、相互に嵌合して光軸方向に係止される請求項１に記載のレンズ鏡筒。
【請求項３】
前記筒本体は、前記光軸方向に相互に当接する突起部および当接面の一方を有し、
前記保持枠は、前記突起部および前記当接面の他方を有する
請求項１または請求項２に記載のレンズ鏡筒。
【請求項４】
前記当接面は、前記筒本体および前記保持枠が前記光軸の回りに相対回転した場合に前記突起部に接する傾斜を有する請求項３に記載のレンズ鏡筒。
【請求項５】
前記突起部および前記当接面の当接箇所は、前記筒本体および前記保持枠の周方向について等間隔に複数配される請求項３または請求項４に記載のレンズ鏡筒。
【請求項６】
前記筒本体および前記保持枠は前記光軸方向に相互に対向する対向面をそれぞれ有し、前記筒本体および前記保持枠の間で前記対向面に挟まれて、前記保持枠を前記筒本体に対して前記光軸方向に位置決めするスペーサを更に備える請求項１から請求項５までのいずれか一項に記載のレンズ鏡筒。
【請求項７】
前記スペーサは、前記光軸のまわりを包囲する環状のワッシャである請求項６に記載のレンズ鏡筒。
【請求項８】
請求項１から請求項７までのいずれか一項に記載のレンズ鏡筒を備えた光学機器。
【発明の詳細な説明】
【技術分野】
【０００１】
本発明は、レンズ鏡筒および光学機器に関する。
【背景技術】
【０００２】
保持筒の端部からねじ込んだ環状のレンズ押さえによりレンズを鏡筒に固定する構造がある（特許文献１参照）。
［特許文献１］  特開２００９−０４２５３１号公報
【発明の概要】
【発明が解決しようとする課題】
【０００３】
レンズが重い場合に当該レンズを確実に固定するには、レンズ押さえのねじ込み長を長くすることになる。しかしながら、ねじ込み長を長くすると保持筒の全長も大きくなる。
【課題を解決するための手段】
【０００４】
本発明の第一態様として、内周にねじ溝が設けられた中空の筒本体と、筒本体に収容され、光学部材を保持する保持枠と、筒本体のねじ溝と噛合い、少なくとも光学部材の光軸に平行な方向について保持枠を筒本体との間で挟んで保持する環状の押さえ環とを備えるレンズ鏡筒が提供される。
【０００５】
本発明の第二態様として、上記レンズ鏡筒を備える光学機器が提供される。
【０００６】
上記発明の概要は、この発明の必要な特徴の全てを列挙したものではない。これらの特徴群のサブコンビネーションもまた発明となり得る。
【図面の簡単な説明】
【０００７】
【図１】デジタルカメラ１００の斜視図である。
【図２】レンズ鏡筒２００の斜視図である。
【図３】レンズ鏡筒２００断面図である。
【図４】レンズ鏡筒２００断面図である。
【図５】レンズ鏡筒２００断面図である。
【図６】保持筒２３０の斜視図である。
【図７】保持筒２３０の部分断面図である。
【図８】レンズ保持枠２４１の部分斜視図である。
【図９】保持筒２３０およびレンズ保持枠２４１の正面図である。
【図１０】レンズ保持枠２４１の部分拡大図である。
【図１１】保持筒２３０およびレンズ保持枠２４１の関係を示す模式図である。
【図１２】保持筒２３０およびレンズ保持枠２４１の部分断面図である。
【図１３】保持筒２３０の部分断面図である。
【発明を実施するための形態】
【０００８】
以下、発明の実施の形態を通じて本発明を説明する。下記の実施形態は特許請求の範囲にかかる発明を限定するものではない。下記の実施形態の中で説明されている特徴の組み合わせの全てが発明の解決手段に必須であるとは限らない。
【０００９】
図１は、デジタルカメラ１００の斜視図である。デジタルカメラ１００は光学機器の一例であり、ボディ１１０と、レンズ群２１１を露出させた光学系とを備える。
【００１０】
なお、説明を簡潔にする目的で、以下の説明において、デジタルカメラ１００の光学系に対して物体側を、デジタルカメラ１００の前または先と記載する。また、光軸方向に沿って物体から遠い側を、後または背面と記載する。更に、特に断らない限り、デジタルカメラ１００における上下は、図示のように横位置撮影をする姿勢にあるデジタルカメラ１００の上下を意味する。
【００１１】
デジタルカメラ１００において、ボディ１１０は、一体的に形成された鏡筒カバー１２０を有する。鏡筒カバー１２０前端の開口には、レンズ群２１１を保持する保持筒２３０前端と、レンズ群２１１の周縁部を覆う押さえ環２２０とが現れている。
【００１２】
図２は、レンズ群２１１および保持筒２３０を含むレンズ鏡筒２００をボディ１１０から取り出して単独で示す斜視図である。図１と共通の要素には、同じ参照番号を付して重複する説明を省く。
【００１３】
レンズ鏡筒２００は、保持筒２３０および固定筒２５０を有する。固定筒２５０は、ボディ１１０に対して固定される。保持筒２３０は、レンズ群２１１を保持しつつ、固定筒２５０に対して、レンズ群２１１を含む光学系の光軸Ｘの方向に進退する。
【００１４】
なお、図２においては、保持筒２３０の前端から押さえ環２２０が除かれている。これにより、レンズ群２１１と保持筒２３０との間に介在するレンズ保持枠２４１が現れている。
【００１５】
図３は、レンズ鏡筒２００を、光軸Ｘを含む垂直面により切断した断面を示す断面図である。図１および図２と共通の要素には同じ参照番号を付して重複する説明を省く。レンズ鏡筒２００においては、光軸Ｘに沿って配列された５群のレンズ群２１１、２１２、２１３、２１４、２１５が光学系を形成する。
【００１６】
第一群を形成するレンズ群２１１は、レンズ保持枠２４１に一体的に保持された状態で、レンズ保持枠２４１と共に保持筒２３０の前端近傍に保持される。レンズ群２１１は、デジタルカメラ１００の表面に露出するので、レンズ群２１１の周縁部とレンズ保持枠２４１との境界は、保持筒２３０の前端内側に取り付けられた押さえ環２２０により隠蔽される。
【００１７】
保持筒２３０は、固定筒２５０と一体的に配された内筒２６０により内面側から摺動可能に支持される。これにより、保持筒２３０は、固定筒２５０に対して光軸Ｘ方向に摺動して、レンズ鏡筒２００を伸胴または縮胴させる。
【００１８】
レンズ群２１１に隣接して第二群を形成するレンズ群２１２は、レンズ保持枠２４２に保持される。レンズ保持枠２４２は、内筒２６０の内面に沿って光軸Ｘ方向に摺動可能に支持される。
【００１９】
第三群を形成するレンズ群２１３は、光学系おいて生じる像振れを補正する防振レンズを含み、レンズ保持枠２４３に保持される。レンズ保持枠２４３は、絞りユニット２７０も併せて保持しつつ、光軸Ｘ方向に移動可能に内筒２６０から支持される。
【００２０】
第四群を形成するレンズ群２１４は、内筒２６０内で光軸Ｘ方向に移動可能なレンズ保持枠２４４に保持される。レンズ保持枠２４４は、内筒２６０に対して固定されたアクチュエータ２８０により、光軸Ｘ方向に駆動される。
【００２１】
アクチュエータ２８０は、ステッピングモータ２８２、リードスクリュー２８４および連結プレート２８６を含む。アクチュエータ２８０において、リードスクリュー２８４は、ステッピングモータ２８２により回転駆動される。連結プレート２８６は、リードスクリュー２８４の両端を回転可能に支持しつつ、ステッピングモータ２８２に結合される。これにより、アクチュエータ２８０は一体化される。
【００２２】
レンズ保持枠２４４は、その一部においてリードスクリュー２８４に噛み合う。これにより、ステッピングモータ２８２の回転方向および回転速度を電気的に制御することにより、レンズ群２１４を移動させることができる。
【００２３】
第五群を形成するレンズ群２１５は、レンズ保持枠２４５に保持される。レンズ保持枠２４５は、固定筒２５０の後端に固定される。こうして、レンズ鏡筒２００においては、第一群から第五群までの５群のレンズ群２１１、２１２、２１３、２１４、２１５を含む光学系が形成される。
【００２４】
なお、図３に示した状態は、保持筒２３０が固定筒２５０に対して最も後退して、レンズ鏡筒２００の全長が最も短い状態にある。レンズ鏡筒２００がボディ１１０に取り付けられている場合、この状態のレンズ鏡筒２００は、鏡筒カバー１２０の内側に退避して沈胴状態になる。レンズ鏡筒２００は、デジタルカメラ１００の電源が遮断された場合に沈胴状態になり、デジタルカメラ１００を携行しやすくする。
【００２５】
図４は、レンズ鏡筒２００の他の状態を、図３と比較して示す図である。図３と共通の要素には同じ参照番号を付して重複する説明を省く。
【００２６】
図示のレンズ鏡筒２００においては、保持筒２３０が固定筒２５０に対して前進することにより、第一群および第二群をなすレンズ群２１１、２１２が前進して、光学系の全長が伸びている。これらレンズ群２１１、２１２の移動により、レンズ鏡筒２００は、変倍範囲のうちで最も広角側の画角で、デジタルカメラ１００の撮像素子に結像し得る状態になる。
【００２７】
図５は、レンズ鏡筒２００のまた他の状態を、図３および図４と比較して示す図である。図３および図４と共通の要素には同じ参照番号を付して重複する説明を省く。
【００２８】
図示のレンズ鏡筒２００においては、保持筒２３０が固定筒２５０に対して更に前進して、第一群をなすレンズ群２１１が更に前進している。一方、第二群をなすレンズ群２１２は、内筒２６０の内部を光軸Ｘ方向に後退して、前進した第三群のレンズ群２１３と相互に接近する。これにより、レンズ鏡筒２００は、変倍範囲のうちで最も望遠側の画角で、デジタルカメラ１００の撮像素子に結像し得る状態になる。
【００２９】
図６は、保持筒２３０の斜視図である。図６は、保持筒２３０を前端側斜め下方から見上げることにより、保持筒２３０前端付近の内周面２３１の形状を示す。保持筒２３０の内周面２３１には、前端側から順に、ねじ山部２３２、テーパリブ２３４、フランジ部２３６および遮光線２３８が配される。
【００３０】
ねじ山部２３２においては、保持筒２３０の内面にネジ山が形成される。ねじ山は、保持筒２３０に押さえ環２２０をねじ込む場合に、押さえ環２２０の外周面に設けられたねじ溝と噛み合う。
【００３１】
テーパリブ２３４は、ねじ山部２３２よりも後方において、保持筒２３０の内周面２３１に配される。テーパリブ２３４は、保持筒２３０の周方向に長い形状を有し、内周面２３１から突出する。なお、テーパリブ２３４は、保持筒２３０の周方向に複数配される。
【００３２】
フランジ部２３６は、テーパリブ２３４よりも後方において、保持筒２３０の内周面２３１に配される。フランジ部２３６は、保持筒２３０の周方向に一周連続して形成され、内周面２３１から内側に突出する。
【００３３】
遮光線２３８は、フランジ部２３６よりも後方において、保持筒２３０の内周面２３１の大部分に形成される。遮光線２３８は、保持筒２３０の内部における迷光を抑制する目的で設けられる。
【００３４】
図７は、テーパリブ２３４の周辺における保持筒２３０内面の一部と、図６に矢印Ｂで示した位置における保持筒２３０の断面とを併せて示す図である。図６と共通の要素には同じ参照番号を付して重複する説明を省く。
【００３５】
保持筒２３０の内周面２３１に対して、テーパリブ２３４およびフランジ部２３６は、保持筒２３０の内側に向かって突出する。ただし、テーパリブ２３４が、保持筒２３０の内周面２３１において周方向の一部に形成されているのに対して、フランジ部２３６は、保持筒２３０の内周面２３１全周にわたって連続する。
【００３６】
また、テーパリブ２３４において、フランジ部２３６に対して対向する当接面２３５は、フランジ部２３６との間隔が周方向に沿って連続的に変化する。図示の例では、図中で右にいくほど、当接面２３５とフランジ部２３６との間隔が狭くなる。
【００３７】
図８は、レンズ保持枠２４１の外観を示す部分斜視図である。レンズ保持枠２４１は、全体として環状の形状を有する。
【００３８】
レンズ保持枠２４１の内周面は、保持するレンズ群２１１の外周部分と相補的な形状を有する。レンズ群２１１に含まれるレンズの各々は、レンズ保持枠２４１に対して接着、溶着、嵌着等により固定される。これにより、レンズ保持枠２４１は、レンズ群２１１と一体になり、レンズ群２１１をまとめて取り扱うことができる。
【００３９】
レンズ保持枠２４１の外周面２４６には、補強リブ２４９が周方向に配される。補強リブ２４９は、レンズ保持枠２４１の周方向について一部が欠けている。補強リブ２４９が欠けた領域では、レンズ保持枠２４１の外周面２４６が露出して、組み込み部２４７が形成される。なお、組み込み部２４７は、レンズ保持枠２４１の周方向について複数箇所に配される。
【００４０】
図９は、保持筒２３０の正面図とレンズ保持枠２４１の背面図とを合わせて示す図である。他の図と共通の要素には同じ参照番号を付して重複する説明を省く。
【００４１】
レンズ鏡筒２００の周方向について、レンズ保持枠２４１における組み込み部２４７の各々の位置は、保持筒２３０におけるテーパリブ２３４の各々の位置に対応している。よって、テーパリブ２３４に組み込み部２４７を通過させることにより、レンズ保持枠２４１を、保持筒２３０に深く挿入することができる。更に、テーパリブ２３４が補強リブ２４９よりも奥まで挿入された状態でレンズ保持枠２４１を回転させることにより、テーパリブ２３４と補強リブ２４９とを係合させて、レンズ保持枠２４１を保持筒２３０に対して固定できる。
【００４２】
また、保持筒２３０のテーパリブ２３４と、レンズ保持枠２４１の組み込み部２４７とは、それぞれ、保持筒２３０またはレンズ保持枠２４１の周方向について等間隔に配される。よって、レンズ保持枠２４１は、光軸Ｘの回りに回転させた複数の位置で保持筒２３０に装着できる。
【００４３】
図示の例では、テーパリブ２３４および組み込み部２４７は、保持筒２３０またはレンズ保持枠２４１の周上に、それぞれ３つずつ設けられている。よって、レンズ保持枠２４１は、光軸Ｘの回りに時計回りまたは反時計回りに１２０°回した状態でも、テーパリブ２３４および組み込み部２４７を用いて保持筒２３０に装着できる。これにより、レンズ保持枠２４１の成形の癖等を打ち消す目的で、レンズ保持枠２４１を光軸Ｘの回りに回転させた状態で組み込むことができる。
【００４４】
なお、レンズ保持枠２４１を回転させて保持筒２３０に装着する場合に、予め定めた初期位置に対してどれほど回転させたかを示す目的で、レンズ保持枠２４１の図中下端に示すノッチ２５１のように、レンズ保持枠２４１に非対称性を与える目印を設けてもよい。
【００４５】
これにより、レンズ保持枠２４１の組み込み方向が認知しやすくなる。また、組み込んだレンズ保持枠２４１のノッチ２５１の方向を記録することにより、レンズ保持枠２４１を成形する場合の癖を検出しやすくすることもできる。
【００４６】
ただし、ノッチ２５１は、レンズ保持枠２４１に重ねて押さえ環２２０を保持筒２３０に取り付けた場合に、押さえ環２２０の下に隠れる位置に配置することが好ましい。これにより、ノッチ２５１がレンズ鏡筒２００の美観に影響することが防止される。
【００４７】
また、テーパリブ２３４および組み込み部２４７の数が３に限らないことはいうまでもない。また、テーパリブ２３４の数よりも、組み込み部２４７の数を多くすることにより、より多くの回転位置でレンズ保持枠２４１を保持筒２３０に組み込むことができる。
【００４８】
図１０は、レンズ保持枠２４１の部分斜視図であり、図８に点線Ａで囲って示した領域を拡大して示す。他の図と共通の要素には同じ参照番号を付して重複する説明を省く。
【００４９】
補強リブ２４９は、レンズ保持枠２４１の径方向について外側に向かって隆起する。ただし、組み込み部２４７においては補強リブ２４９が省かれ、組み込み部２４７は、周囲の外周面２４６と略連続した面をなす。
【００５０】
なお、レンズ保持枠２４１を保持筒２３０に組み込んだ場合、補強リブ２４９において組み込み部２４７に面した先端部の図中上端の角が、保持筒２３０のテーパリブ２３４の当接面２３５に当接する突起部２４８となる。この点について、次に説明する。
【００５１】
図１１は、レンズ保持枠２４１を保持筒２３０に組み込む場合の、テーパリブ２３４と補強リブ２４９との位置関係を示す模式図である。なお、図１１では、レンズ保持枠２４１を組み込む過程における補強リブ２４９の異なる位置を、点線および一点鎖線により重ねて示す。
【００５２】
保持筒２３０に対してレンズ保持枠２４１を組み込む場合、まず、図中に点線で示すように、レンズ保持筒２３０およびレンズ保持枠２４１の周方向について、レンズ保持枠２４１の組み込み部２４７の位置をテーパリブ２３４の位置に合わせる。これにより、レンズ保持枠２４１を保持筒２３０内に挿入して、テーパリブ２３４よりも保持筒２３０の奥まで補強リブ２４９を差し込むことができる。
【００５３】
次に、図中に一点鎖線で示すように、保持筒２３０に差し込んだレンズ保持枠２４１を光軸Ｘの回りに回転させる。この場合のレンズ保持枠２４１の回転方向は、テーパリブ２３４およびフランジ部２３６の間隔が狭くなる方向に、補強リブ２４９端部の突起部２４８が進入する方向となる。これにより、補強リブ２４９の先端に位置する突起部２４８が、テーパリブ２３４の当接面２３５に当接する。
【００５４】
更に、図中に実線で示すようにレンズ保持枠２４１を光軸Ｘの回りに更に回転させると、補強リブ２４９の突起部２４８が当接面２３５に沿って移動する。これにより、補強リブ２４９は、光軸Ｘ方向に保持筒２３０の奥へ、フランジ部２３６に向かって移動する。
【００５５】
ここで、補強リブ２４９が向かうフランジ部２３６の側面には、スペーサ２９０が配される。よって、光軸Ｘ方向に移動した補強リブ２４９は、やがて、フランジ部２３６との間にスペーサ２９０を挟んで、光軸Ｘ方向に位置決めされる。
【００５６】
換言すれば、スペーサ２９０の厚さＴを選択することにより、保持筒２３０に対するレンズ保持枠２４１の、光軸Ｘ方向の位置を選ぶことができる。これにより、レンズ保持枠２４１の位置を、１ミリ未満の小さな単位で調整できる。
【００５７】
なお、スペーサ２９０は、フランジ部２３６の側壁を全体に覆う円環状の部品であってもよい。また、スペーサ２９０の形状は、フランジ部２３６および補強リブ２４９の間に挟まれる形状であれば、Ｃ形、花形等、他の形状であってもよい。更に、スペーサ２９０の材料は、サブミリレベルで厚さの異なる原料が供給されていれば自由に選択でき、金属板、樹脂板等を用いることができる。
【００５８】
図１２は、レンズ保持枠２４１および押さえ環２２０が組み込まれた保持筒２３０の部分断面図である。図１１に矢印Ｃにより示した位置の断面を示す。また、レンズ群２１１は省略している。他の図と共通の要素には同じ参照番号を付して重複する説明を省く。
【００５９】
レンズ鏡筒２００において、レンズ保持枠２４１は、補強リブ２４９がテーパリブ２３４と当接することにより、補強リブ２４９およびフランジ部２３６の間にスペーサ２９０を挟みつつ、保持筒２３０に対して固定される。また、保持筒２３０の内側には、先端側からねじ込まれた押さえ環２２０が、レンズ保持枠２４１に隣接して配される。
【００６０】
押さえ環２２０は、外周面に形成されたねじ溝を、保持筒２３０内面のねじ山部２３２のねじ山と噛み合わせて、保持筒２３０の内側にねじ込まれる。また、ねじ込まれた押さえ環２２０は、後側の端面２２２をレンズ保持枠２４１に当接させる。これにより、押さえ環２２０は、保持筒２３０に対して光軸Ｘ方向に位置決めされる。
【００６１】
また、ねじ込まれた押さえ環２２０は、図中右側の端面２２２を、レンズ保持枠２４１の前端面に当接させる。これにより、レンズ保持枠２４１は、押さえ環２２０により、光軸Ｘ方向に押さえられる。よって、押さえ環２２０は、レンズ保持枠２４１の保持筒２３０に対する固定に寄与する。
【００６２】
更に、押さえ環２２０の径方向内側の端部２２４は、レンズ保持枠２４１に保持されたレンズ群２１１の周縁部を覆う。これにより、レンズ群２１１をレンズ保持枠２４１に対して固定する接着剤、溶着部等が隠される。よって、押さえ環２２０は、レンズ鏡筒２００の美観向上にも寄与する。
【００６３】
このように、レンズ鏡筒２００を組み立てる場合、レンズ保持枠２４１は、保持筒２３０に差し込んで、最大でもテーパリブ２３４の周方向の長さまで回転させることにより保持枠に対して位置決めできる。よって、レンズ保持枠２４１は、押さえ環２２０のねじ込みに比較すると非常に短時間で保持筒２３０に組み込むことができる。
【００６４】
また、テーパリブ２３４および補強リブ２４９は、いずれも、ねじ山およびねじ溝に比較すると、レンズ鏡筒２００の光軸方向の厚さが大きく、且つ、レンズ鏡筒２００の径方向の噛み合いも深い。よって、レンズ保持枠２４１が重いレンズ群２１１を保持している場合であっても、また、外部からレンズ鏡筒２００に衝撃が加わった場合であっても、レンズ保持枠２４１の固定を維持できる。
【００６５】
なお、保持筒２３０のテーパリブ２３４とレンズ保持枠２４１の補強リブ２４９とを噛み合わせる場合のレンズ保持枠２４１の回転方向と、押さえ環２２０を保持筒２３０にねじ込む場合の回転方向とを、互いに反対にしてもよい。これにより、押さえ環２２０およびレンズ保持枠２４１の振動等によるゆるみを、押さえ環２２０およびレンズ保持枠２４１の相互に摩擦により抑制できる。
【００６６】
また、テーパリブ２３４における当接面２３５の光軸Ｘに対する傾きは、押さえ環２２０をねじ込む場合のねじ山およびねじ溝の光軸Ｘに対する傾きよりも大きくてもよい。これにより、保持筒２３０内でレンズ保持枠２４１および押さえ環２２０が連れ回ることが防止される。
【００６７】
図１３は、レンズ鏡筒２００の部分断面図であり、レンズ鏡筒２００の先端にレンズキャップ３００が装着された状態を示す。図１３までと共通の要素には同じ参照番号を付して重複する説明を省く。
【００６８】
既に説明した通り、レンズ保持枠２４１は、テーパリブ２３４および補強リブ２４９の噛み合いによっても、保持筒２３０に対して固定されている。よって、押さえ環２２０は、レンズ群２１１およびレンズ保持枠２４１の固定の一部を担えば足りる。
【００６９】
これにより、押さえ環２２０においてねじ山部２３２と噛み合うねじ溝の数を削減できるので、押さえ環２２０の光軸Ｘ方向の長さを短縮できる。よって、保持筒２３０を前方に向かって延長することなく、レンズキャップ３００を嵌めるスペースを設けることができる。
【００７０】
また、高倍率ズームレンズの前玉のように、大きく重いレンズ群２１１を保持するレンズ保持枠２４１を保持筒２３０に保持させる場合であっても、ねじ山部２３２の光軸Ｘ方向の長さを延長しなくてもよいので、保持筒２３０の全長が長くなることを抑制できる。
【００７１】
このようなレンズ保持枠２４１の保持構造は、レンズ鏡筒２００の前端に限って適用されるわけではない。レンズ鏡筒２００内部または後端でレンズ群２１２、２１３、２１４、２１５を保持するレンズ保持枠２４２、２４３、２４４、２４５においても上記の構造を適用できる。また、上記の構造により保持する光学部材はレンズに限られず、絞りユニット、防振ユニット、光学フィルタ等であってもよい。
【００７２】
更に、カメラボディに対して交換可能なレンズユニットにおいても同様に上記構造を適用できる。また更に、顕微鏡等のように、保持筒の端部にレンズを保持する構造を有する光学機器には、上記の構造を広く適用できる。
【００７３】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【符号の説明】
【００７４】
１００  デジタルカメラ、１１０  ボディ、１２０  鏡筒カバー、２００  レンズ鏡筒、２１１、２１２、２１３、２１４、２１５  レンズ群、２２０  押さえ環、２２２  端面、２２４  端部、２３０  保持筒、２３１  内周面、２３２  ねじ山部、２３４  テーパリブ、２３５  当接面、２３６  フランジ部、２３８  遮光線、２４１、２４２、２４３、２４４、２４５  レンズ保持枠、２４６  外周面、２４７  組み込み部、２４８  突起部、２４９  補強リブ、２５０  固定筒、２５１  ノッチ、２６０  内筒、２７０  絞りユニット、２８０  アクチュエータ、２８２  ステッピングモータ、２８４  リードスクリュー、２８６  連結プレート、２９０  スペーサ、３００  レンズキャップ
【図１】
2013152276.tif 000003
【図２】
2013152276.tif 000004
【図３】
2013152276.tif 000005
【図４】
2013152276.tif 000006
【図５】
2013152276.tif 000007
【図６】
2013152276.tif 000008
【図７】
2013152276.tif 000009
【図８】
2013152276.tif 000010
【図９】
2013152276.tif 000011
【図１０】
2013152276.tif 000012
【図１１】
2013152276.tif 000013
【図１２】
2013152276.tif 000014
【図１３】
2013152276.tif 000015